(57)【要約】  【課題】一の綴じリングだけを操作しても他の綴じリングの係合部同士を係合させることができる綴じ具及びこの綴じ具を備えたファイルを提供する。  【解決手段】複数の綴じリング３、５を有する綴じ具Ｇにおいて、綴じリング３、５は、前記一の綴じリング３付近に設けられた弾性付勢手段Ｄにより開方向に付勢されており、綴じリング３、５を構成する第一、第二のリング構成部材３１、３２、５１、５２を支持する連結板１１、１２は、他の綴じリング５の第一、第二のリング構成部材５１、５２における先端同士の係合に必要な力を軽減するためのたわみ助長手段Ｔを備えている。【選択図】図４
2011251428.tif 000002
【特許請求の範囲】
【請求項１】
相互に突き合わせた第一、第二の連結板をカバー内に収容してなるベースと、
前記第一の連結板に支持された第一のリング構成部材及び前記第二の連結板に支持された第二のリング構成部材をそれぞれ備えてなる複数の綴じリングとを具備してなり、これら綴じリングのうちの一の綴じリングに加えられる閉方向の操作力により他の綴じリングをも閉じることができるようにした綴じ具であって、
前記各綴じリングは、前記カバー内に設けられた弾性付勢手段により開方向に付勢されているとともにその付勢力に抗して閉じられた状態で前記第一、第二のリング構成部材の先端に設けられた係合部同士が係合して閉位置に保持されるものであり、
前記連結板のうち少なくとも一方の連結板は、前記他の綴じリングの第一、第二のリング構成部材における先端同士の係合に必要な力を軽減するためのたわみ助長手段を備えたものであることを特徴とする綴じ具。
【請求項２】
前記弾性付勢手段が、前記カバーの両側縁部における前記一の綴じリング付近に位置する部位を前記連結板の下面に弾性的に圧接させたものである請求項１記載の綴じ具。
【請求項３】
前記弾性付勢手段が、前記カバーの両側縁間にバネを架設し、そのバネの作用端を前記連結板の下面に弾性的に圧接させたものである請求項１記載の綴じ具。
【請求項４】
前記たわみ助長手段が、前記連結板の長手方向中央部の幅寸法を他の部分よりも減少させたものである請求項１、２又は３記載の綴じ具。
【請求項５】
前記たわみ助長手段が、前記連結板の他の綴じリングを保持している部分の幅寸法を減少させて当該部分を片持ち梁構造にしたものである請求項１、２又は３記載の綴じ具。
【請求項６】
前記たわみ助長手段が、前記連結板の他の綴じリングを保持している部分の近傍に前記連結板の厚み方向の弾性変形を助長するための溝を形成したものである請求項１、２又は３記載の綴じ具。
【請求項７】
表紙に、前記請求項１〜６何れか記載の綴じ具を備えてなるファイル。
【請求項８】
使用方向が明確に設定された表紙に前記請求項１〜６何れか記載の綴じ具を、一の綴じリングが他の綴じリングよりも手前側に位置するように取付けたことを特徴とするファイル。
【発明の詳細な説明】
【技術分野】
【０００１】
本発明は、書類等を綴じるための綴じ具及びその綴じ具が適用されたファイルに関する。
【背景技術】
【０００２】
従来、この種の綴じ具として、相互に突き合わせた第一、第二の連結板をカバー内に収容してなるベースと、前記第一の連結板に支持された第一のリング構成部材及び前記第二の連結板に支持された第二のリング構成部材をそれぞれ備えてなる一対の綴じリングとを具備してなるものが知られている（例えば特許文献１参照）。
【０００３】
かかる綴じ具における綴じリングは、対をなす綴じリング間に配設した板バネ等によって均等な力で開方向に弾性付勢されている。そして、この弾性付勢力に抗して前記綴じリングを閉じる方向に操作することによって各綴じリングの第一のリング構成部材と第二のリング構成部材の先端に設けられた係合部同士が係合してそれら綴じリングが閉位置に保持されるようになっている。
【０００４】
すなわち、前記両綴じリングにおける各第一のリング構成部材の先端には外向きの係合部が設けられているとともに、第二のリング構成部材の先端には内向きの係合部が設けられており、前記両方の綴じリングを閉じる方向にそれぞれ操作して前記第一のリング構成部材と第二のリング構成部材の先端同士を突き合わせることにより前記外向きの係合部と内向きの係合部とが部材の弾性変形を利用して係合し、それら両綴じリングが閉位置に保持されるようになっている。また、前記外向きの係合部を有した第一のリング構成部材同士を相寄る方向に弾性変位させることにより、それら係合部同士の係合を解除することができるようになっている。
【０００５】
ところで、このような構成のものにおいては、一方の綴じリングにのみに閉じ方向の操作力を付与することによって、他方の綴じリングをも同時に閉じようと試みることも少なくない。しかしながら、このような使い方をすると同操作力が他方の綴じリングに確実に伝わらないことがあり、他方の綴じリングの係合部同士が適切に係合しないという不具合がある。
【先行技術文献】
【特許文献】
【０００６】
【特許文献１】特許第４２４４８８４号公報
【発明の概要】
【発明が解決しようとする課題】
【０００７】
本発明は、以上のような事情に着目してなされたもので、一の綴じリングだけを操作しても他の綴じリングの係合部同士をも係合させることができる綴じ具及びその綴じ具を備えたファイルを提供することにある。
【課題を解決するための手段】
【０００８】
すなわち、本発明の綴じ具は、相互に突き合わせた第一、第二の連結板をカバー内に収容してなるベースと、前記第一の連結板に支持された第一のリング構成部材及び前記第二の連結板に支持された第二のリング構成部材をそれぞれ備えてなる複数の綴じリングとを具備してなり、これら綴じリングのうちの一の綴じリングに加えられる閉方向の操作力により他の綴じリングをも閉じることができるようにした綴じ具であって、前記各綴じリングは、前記カバー内に設けられた弾性付勢手段により開方向に付勢されているとともにその付勢力に抗して閉じられた状態で前記第一、第二のリング構成部材の先端に設けられた係合部同士が係合して閉位置に保持されるものであり、前記連結板のうち少なくとも一方の連結板は、前記他の綴じリングの第一、第二のリング構成部材における先端同士の係合に必要な力を軽減するためのたわみ助長手段を備えたものであることを特徴とする。
【０００９】
このようなものであれば、前記各綴じリングは、前記カバー内、より具体的には、前記一の綴じリング付近に設けられた弾性付勢手段により開方向に付勢されているので、前記他の綴じリングにおける開方向への付勢力が前記一の綴じリングにおける開方向への付勢力よりも弱いものとすることができる。しかも、前記連結板のうち少なくとも一方の連結板は、たわみ助長手段を備えているので、前記他の綴じリングの第一、第二のリング構成部材における先端同士の係合に必要な力を軽減することができるものとなる。このため、一の綴じリングだけを操作しても他の綴じリングの係合部同士を適切に係合させることができるものとなる。
【００１０】
前記弾性付勢手段の具体的なものとしては、前記カバーの両側縁部における前記一の綴じリング付近に位置する部位を前記連結板の下面に弾性的に圧接させたものや、前記カバーの両側縁間にバネを架設し、そのバネの作用端を前記連結板の下面に弾性的に圧接させたものを挙げることができる。
【００１１】
前記たわみ助長手段の具体的なものとしては、前記連結板の長手方向中央部の幅寸法を他の部分よりも減少させたもの、前記連結板の他の綴じリングを保持している部分の幅寸法を減少させて当該部分を片持ち梁構造にしたもの、前記連結板の他の綴じリングを保持している部分の近傍に前記連結板の厚み方向の弾性変形を助長するための溝を形成したもの等を挙げることができる。
【００１２】
また、本発明のファイルは、表紙に前述の綴じ具を備えてなることを特徴とする。なお、利用者の一般的なファイルの使用方法に鑑みて、使用方向が明確に設定された表紙に前述の綴じ具を、一の綴じリングが他の綴じリングよりも手前側に位置するように取付けるようにするのが好ましい。ここで「使用方向」とは、利用者・使用者からみた使用方向を意味する。また、「手前」とは、利用者・使用者からみた概念である。
【発明の効果】
【００１３】
以上説明したように本発明によれば、一の綴じリングだけを操作しても他の綴じリングの係合部同士を係合させることができるものとなる。
【図面の簡単な説明】
【００１４】
【図１】本発明の一実施形態を示す斜視図。
【図２】同実施形態における綴じ具の平面図。
【図３】図２におけるＡ矢指図。
【図４】図３におけるＢ矢視図。
【図５】同実施形態における連結板とリング構成部材を示す背面図。
【図６】図２におけるＸ−Ｘ線断面図。
【図７】図２におけるＹ−Ｙ線断面図。
【図８】図２におけるＺ−Ｚ線断面図。
【図９】図６に対応する開状態の綴じリングを示す説明図。
【図１０】図７に対応する開状態の綴じリングを示す説明図。
【図１１】図８に対応する開状態の綴じリングを示す説明図。
【図１２】本実施形態における作用説明図。
【図１３】本実施形態における作用説明図。
【図１４】本発明の他の実施形態である連結板及びリング構成部材を示す背面図。
【図１５】本発明のさらに他の実施形態である連結板及びリング構成部材を示す背面図。
【図１６】図１４におけるＣ−Ｃ線に沿う拡大断面図。
【図１７】本発明のさらに他の実施形態を示す綴じ具の背面図。
【発明を実施するための形態】
【００１５】
以下、本発明の一実施形態を、図１〜図１３を参照して説明する。
【００１６】
本実施形態は、本発明をファイルＦ及びそのファイルＦの裏表紙Ｈ３に取付けられた綴じ具Ｇに適用した場合のものである。
【００１７】
ファイルＦは、表表紙Ｈ１、背表紙Ｈ２及び裏表紙Ｈ３とを有した表紙Ｈを備えたものである。このファイルＦは表紙Ｈに施された印刷やシール等によりその使用方向が明確に設定されている。
【００１８】
綴じ具Ｇは、相互に突き合わせた第一、第二の連結板１１、１２をカバー１３内に収容してなるベース１と、第一の連結板１１に支持された第一のリング構成部材３１及び第二の連結板１２に支持された第二のリング構成部材３２をそれぞれ備えてなる複数すなわち２つの綴じリング３、５とを具備してなり、これら綴じリング３、５のうちの一の綴じリング３に加えられる閉方向の操作力により他の綴じリング５をも閉じることができるようにしたものである。
【００１９】
本実施形態における綴じ具Ｇは、一の綴じリング３と他の綴じリング５の２つの綴じリング３、５によって主として２穴の用紙（図示せず）を綴じることができるようにしたものである。
【００２０】
ベース１は、薄肉ステンレス材等により作られたカバー１３と、このカバー１３の内部に収容された第一、第二の連結板１１、１２とを具備してなる。
【００２１】
カバー１３は、長手方向両端部に表紙Ｈに取り付けるための取付孔１３１を有したもので、内部に相互に突き合わせた第一、第二の連結板１１、１２を反転可能に収容するための空間ｓを形成しうる形状、具体的には横断面において略扁平アーチ状をなしている。カバー１３の両側縁部１３２は、内部に収容した第一、第二の連結板１１、１２が離脱しないように内方に折り返されている。すなわち、内縁部１１１、１２１同士を相互に突き合わせた第一の連結板１１と第二の連結板１２とが、カバー１の両内側面１３３間に突っ張った状態で収容されており、このカバー１の弾性変形を利用して、第一、第二の連結板１１、１２が綴じリング３、５が閉じた状態の姿勢である下方突出姿勢（Ｋ）と綴じリング３、５が開いた状態の姿勢である上方突出姿勢（Ｊ）との間で反転動作し得るようになっている。
【００２２】
なお、第一、第二の連結板１１、１２の内縁部すなわち突き合わせ端縁１１１、１２１には噛み合わせ用の突起ｔ１、ｔ２、ｔ３、ｔ４が設けられている。この実施形態においては、一の綴じリング３付近における第一の連結板１１の端縁１１１に突設された突起ｔ１と第二の連結板１２の端縁１２１に突設された突起ｔ２とによって二つの連結板１１、１２の厚み方向の位置ずれを規制し、両連結板１１、１２の噛み合わせを確保している。また、他の綴じリング５付近における第一の連結板１１の端縁１１１に突設された突起ｔ３と、第二の連結板１２の長手方向中央部の端縁１２１に突設された突起ｔ４とによっても両連結板１１、１２の噛み合わせを確保しているが、両突起ｔ３、ｔ４は長手方向に離間させて設けてあるため、他の綴じリング５における第一、第二のリング構成部材５１、５２の係合部５１１、５２１同士の係合動作に必要な両連結板１１、１２のたわみを許容している。
【００２３】
また、この実施形態においては、各綴じリング３、５は、カバー１３内にあり、一の綴じリング３付近に設けられた弾性付勢手段Ｄにより開方向に付勢されている。具体的には、カバー１３の両側縁部１３２における一の綴じリング３付近に位置する部位（図４にて網掛けする部位であり、以下当該部位を「弾性付勢部」という。）を第一、第二の連結板１１、１２の下面１１２、１２２に弾性的に圧接させており、この弾性圧接力により両連結板１１、１２を上方に弾性付勢、より具体的には第一の連結板１１の内縁部１１１側と第二の連結板１２の内縁部１２１側を上方に向けて弾性付勢している。
【００２４】
カバー１３における綴じリング３、５に対応する位置には、リング挿通窓１３４と第一、第二の連結板１１、１２の上動を所定位置で係止する係止部１３５が設けられている。
【００２５】
第一の連結板１１は、一端部で一の綴じリング３の第一のリング構成部材３１を支持するとともに他端部で他の綴じリング５の第一のリング構成部材５１を支持するもので、具体的には概ね短冊状をなしている。第一の連結板１１は、他の閉じリング５の第一、第二のリング構成部材５１、５２における先端同士の係合に必要な力を軽減するためのたわみ助長手段Ｔを備えている。たわみ助長手段Ｔは、第一の連結板１１を厚み方向に撓み易くするためのもので、具体的には第一の連結板１１の外側縁１１３を凹ませることにより当該連結板１１の長手方向中央部の幅寸法を他の部分よりも減少させたものである。なお、第一の連結板１１の外側縁１１３における他の綴じリング５側の端部は切り欠かれており、カバー１３の側縁部１３２との干渉を避けることができる形状にしている。
【００２６】
第二の連結板１２は、一端部で一の綴じリング３の第二のリング構成部材３２を支持するとともに他端部で他の綴じリング５の第二のリング構成部材５２を支持するもので、具体的には概ね短冊状をなしている。第二の連結板１２は、他の閉じリング５の第一、第二のリング構成部材５１、５２における先端同士の係合に必要な力を軽減するためのたわみ助長手段Ｔを備えている。たわみ助長手段Ｔは、第二の連結板１２を厚み方向に撓み易くするためのもので、具体的には第二の連結板１２の外側縁１２３を凹ませることにより当該連結板１２の長手方向中央部の幅寸法を他の部分よりも減少させたものである。なお、第二の連結板１２の外側縁１２３における他の綴じリング５側の端部は切り欠かれており、カバー１３の側縁部１３２との干渉を避けることができる形状にしている。
【００２７】
各綴じリング３、５は、一の綴じリング３付近に設けられた弾性付勢手段Ｄにより開方向に付勢されているとともにその付勢力に抗して閉じられた状態で第一、第二のリング構成部材３１、５１、３２、５２の先端に設けられた係合部３１１、５１１、３２１、５２１同士が係合して閉位置に保持されるものである。詳述すれば、各綴じリング３、５は、第一の連結板１１の端部に基端部３１２、５１２をかしめ付けた第一のリング構成部材３１、５１と、第二の連結板１２の端部に基端部３２２、５２２をかしめ付けた第二のリング構成部材３２、５２とを具備してなる。
【００２８】
綴じリング３、５は、いわゆるＤリングと称される構成をなすものである。第一のリング構成部材３１、５１は全体が湾曲した形状をなしており、第二のリング構成部材３２、５２は略直線状に形成された直線部３２３、５２３と湾曲形状に形成された湾曲部３２４、５２４とを備えた形状をなしている。
【００２９】
第一のリング構成部材３１、５１の先端部には外向きの係合部３１１、５１１が設けられているとともに第二のリング構成部材３２、５２の先端部には内向きの係合部３２１、５２１が設けられ、第一のリング構成部材３１、５１の先端部と第二のリング構成部材３２、５２の先端部とを突き合わせることにより外向きの係合部３１１、５１１と内向きの係合部３２１、５２１とが係合して各綴じリング３、５が閉位置に保持されるようになっている。
【００３０】
具体的に、外向きの係合部３１１、５１１は、外側すなわち綴じ具Ｇの長手方向における外方側に向けて突出する突起３１１ａ、５１１ａと突起３１１ａ、５１１ａに連続して設けられ外側に開放された凹部３１１ｂ、５１１ｂとを備えたものである。内向きの係合部３２１、５２１は、内側すなわち綴じ具Ｇの長手方向における内方側に突出する突起３２１ａ、５２１ａと突起３２１ａ、５２１ａに連続して設けられ内側に開放された凹部３２１ｂ、５２１ｂとを備えたものである。
【００３１】
各第一、第二のリング構成部材３１、５１、３２、５２の先端同士が係合する状態においては、外向きの係合部３１１、５１１の突起３１１ａ、５１１ａが内向きの係合部３２１、５２１の凹部３２１ｂ、５２１ｂに嵌るとともに、内向きの係合部３２１、５２１の突起３２１ａ、５２１ａが外向きの係合部３１１、５１１の凹部３１１ｂ、５１１ｂに嵌るようになっており、両突起３１１ａ、５１１ａ、３２１ａ、５２１ａの突き合わせ側端部には係合時に第一のリング構成部材３１、５１と第二のリング構成部材３２、５２とを離間させるための案内傾斜面３１１ｃ、５１１ｃ、３２１ｃ、５２１ｃが形成されている。
【００３２】
一の綴じリング３における第一のリング構成部材３１に設けられた外向きの係合部３１１と他の綴じリング５における第一のリング構成部材５１に設けられた外向きの係合部５１１とは互いに背反する方向を向いている。また、一の綴じリング３における第二のリング構成部材３２に設けられた内向きの係合部３２１と他の綴じリング５における第二のリング構成部材５２に設けられた内向きの係合部５２１とは互いに対面する方向を向いている。そのため、一の綴じリング３における第一のリング構成部材３１と、他の綴じリング５における第一のリング構成部材５１をそれぞれ相寄る方向に移動させることにより、係合部３１１、５１１、３２１、５２１同士の係合が解除されるようになっている。
【００３３】
以上のようにしてなる綴じ具Ｇを、ファイルＦの裏表紙Ｈ３における綴じ元側端縁部分に取付けている。すなわち、２つの綴じリング３、５の内、一の綴じリング３がファイルの使用者からみて手前側に位置するようにしてファイルＦに取付けられており、その取付けはカバー１３に設けた取付孔１３１に挿通されたリベット１３６により行われている。この取付け状態では、直線部３２３、５２３を有した第二のリング構成部材３２、５２が第一のリング構成部材３１、５１よりも右側に位置するようになっている。
【００３４】
このような構成のものであれば、第一、第二のリング構成部材３１、５１、３２、５２の係合部３１１、５１１、３２１、５２１同士の係合が解除されている状態では、弾性付勢手段すなわちカバー１３の弾性付勢部Ｄの働きにより第一、第二の連結板１１、１２が上方に弾性付勢されているため、これら両連結板１１、１２は上方突出姿勢Ｊにまで反転することになり、綴じリング３、５は、図９〜図１２に示すように開いた状態に維持される。この開いた状態から、図１２に示すように一の綴じリング３を構成している第一、第二のリング構成部材３１、３２を相寄る方向に操作すると、第一、第二の連結板１１、１２により相互に連結されている両綴じリング３、５が弾性付勢手段Ｄの付勢力に抗して綴じ方向に作動し、最終的に図１３に示すように各綴じリング３、５の第一のリング構成部材３１、５１の外向きの係合部３１１、５１１と第二のリング構成部材３２、５２の内向きの係合部３２１、５２１とが係合する。そのため、両綴じリング３、５は、係合後においては第一、第二のリング構成部材３１、３２から手を離しても閉状態に維持される。
【００３５】
第一のリング構成部材３１、５１の外向きの係合部３１１、５１１と第二のリング構成部材３２、５２の内向きの係合部３２１、５２１とが係合する際の作動を詳述すれば、次の通りである。
【００３６】
まず、第一のリング構成部材３１、５１の先端部と第二のリング構成部材３２、５２の先端部とが突き合った段階では、外向きの係合部３１１、５１１の案内傾斜面３１１ｃ、５１１ｃと内向きの係合部３２１、５２１の案内傾斜面３２１ｃ、５２１ｃとが当接する。その状態からさらに両リング構成部材３１、５１、３２、５２に閉じ方向の操作力が付与されると、案内傾斜面３１１ｃ、５１１ｃ、３２１ｃ、５２１ｃの案内作用により外向きの係合部３１１、５１１を有している第一のリング構成部材３１、５１が一時的に内側に弾性変位するとともに内向きの係合部３２１、５２１を有している第二のリング構成部材３２、５２が一時的に外側に弾性変位することになる。そして、外向きの係合部３１１、５１１及び内向きの係合部３２１、５２１の突起３１１ａ、５１１ａ、３２１ａ、５２１ａ同士が相互に乗り越えた段階で、外向きの係合部３１１、５１１の突起３１１ａ、５１１ａが内向きの係合部３２１、５２１の凹部３２１ｂ、５２１ｂに嵌り込むとともに、内向きの係合部３２１、５２１の突起３２１ａ、５２１ａが外向きの係合部３１１、５１１の凹部３１１ｂ、５１１ｂに嵌り込み、係合が完了する。その結果、一の綴じリング３から手を離しても両綴じリング３、５は閉状態に保持される。
【００３７】
以上の係合動作は、第一、第二のリング構成部材３１、５１を支持している第一、第二の連結板１１、１２の厚み方向の一時的なたわみを利用して行われる。すなわち、第一のリング構成部材３１、５１に設けられた外向きの係合部３１１、５１１の案内傾斜面３１１ｃ、５１１ｃと、第二のリング構成部材３２、５２に設けられた内向きの係合部３２１、５２１の案内傾斜面３２１ｃ、５２１ｃとを当接させた状態で一の綴じリング３における両リング構成部材３１、３２をさらに閉じ方向に操作した場合、案内傾斜面３１１ｃ、５１１ｃ、３２１ｃ、５２１ｃの案内作用により二つの第一のリング構成部材３１、５１は相寄る方向に倒れるとともに二つの第二のリング構成部材３２、５２は相離れる方向に倒れる動作が惹き起こされる。二つの第一のリング構成部材３１、５１が相寄る方向へ傾倒する動作は、これら両第一のリング構成部材３１、５１を支持している第一の連結板１１が下方にたわむことによって、すなわち第一の連結板１１の長手方向中央部が下方に変位する方向にたわむことによって惹起される。二つの第二のリング構成部材３２、５２が相離れる方向へ傾倒する動作は、これら両第二のリング構成部材３２、５２を支持している第二の連結板１２が上方にたわむことによって、すなわち第二の連結板１２の長手方向中央部が上方に変位する方向にたわむことによって惹起される。そして、本綴じ具Ｇでは、両連結板１１、１２にたわみ助長手段Ｔを設けているので、以上の動作がより軽快かつ円滑に行われる。すなわち、両連結板１１、１２の外側縁１１３、１２３を凹ませることにより各連結板１１、１２の長手方向中央部の幅寸法を他の部分よりも減少させているので、これら連結板１１、１２は従来の矩形短冊状のものと比べて厚み方向にたわみ易くなっており、従来のものと比べて、他の綴じリング５におけるリング構成部材３２、５２同士の係合がより小さな力でおこなわれることになる。なお、両連結板１１、１２の外側縁１１３、１２３における他の綴じリング５側の端部はカバー１３の側縁部１３２との干渉を避けるために切り欠かれているので、連結板１１、１２の端部がたわみにより大きく変位してもカバー１３に干渉するのを防止することができ、その点においても連結板１１、１２のたわみ易さが確保されている。そのため一の綴じリング３を閉じる方向に操作することによって他方の綴じリング５のリング構成部材３２、５２同士をより確実に係合させることができる。
【００３８】
さらに、本実施形態では、第一、第二の連結板１１、１２の他の綴じリング５側の端部においても端縁１１１、１２１を相互に突き合わせた状態でカバー１３の内側面１３３間に突っ張らせているので、連結板１１、１２のねじれを抑制することができる。そのため、一の綴じリング３に加えられた閉制動作力が他の綴じリング５に確実に伝わることになる。したがって、前述のように他の綴じリング５側における第一、第二のリング構成部材３２、５２の係合部３２１、５２１同士の係合を小さな力で行うことができることと相俟って、従来の不具合をより確実に抑制又は防止することができる。換言すれば、本実施形態の構成によれば、使用者の手前に位置する一の綴じリング３を摘んで閉じ方向に操作するだけで他の綴じリング５をより確実に従動させて当該他の綴じリング５におけるリング構成部材３２、５２の係合部３２１、５２１同士を円滑に係合させることができる。
【００３９】
なお、本発明は、以上に詳述した実施形態に限られるものではない。
【００４０】
たわみ助長手段は、本実施形態に示すものに限られるものではなく、図１４に示すもの、又は、図１５及び図１６に示すようなもの等であってもよい。なお、以下に述べる他の実施形態の説明において、前述した実施形態と同一若しくは同等の構成部分については、同一の符号を用いるものとし、説明を省略若しくは簡略にする。
【００４１】
図１４に示すたわみ助長手段Ｔは、連結板１１’、１２’の他の綴じリング５を保持している部分の幅寸法を減少させて当該部分を片持ち梁構造にしたものである。このようなものであっても、各連結板１１’、１２’は厚み方向のたわみを助長するものとなり、所期の目的を達成することができる。なお、連結板１１’、１２’のうち、一方の連結板のみを片持ち梁構造にしてもよい。また、片持ち梁構造とは、図１４に示すように、連結板の両側部分の幅寸法をそれぞれ減少させているもののほか、片側部分のみを減少させているものであってもよい。
【００４２】
図１５及び図１６に示すたわみ助長手段Ｔは、連結板１１’’、１２’’の他の綴じリング５を保持している部分の近傍に連結板１２’’の厚み方向の弾性変形を助長するために薄肉にした部分、図示例では溝ｍを形成したものである。なお、図においては、溝ｍを一方の連結板１２’’に設けている態様を示しているが、両方の連結板に設けるようにしても良い。
【００４３】
本実施形態では、たわみ助長手段Ｔとして第一、第二の連結板１１、１２のそれぞれの外側縁１１３、１２３を凹ませている態様のものを示したが、一方の連結板のみを凹ませるようにしてもよい。また、本実施形態では、第一、第二の連結板１１、１２の外側縁１１３、１２３における他の綴じリング５側の端部をそれぞれ切り欠いていたが、一方の連結板の端部のみを切り欠いたものとしてもよい。
【００４４】
また、弾性付勢手段Ｄは、本実施形態に示すものに限られるものではなく、例えば、図１７に示すものであってもよい。この弾性付勢手段Ｄは、前記カバー１３の両側縁部１３２間にバネｓｐを架設し、そのバネｓｐの作用端ｓｐ１を連結板１１’’’、１２’’’の下面１１２、１２２に弾性的に圧接させたものである。バネｓｐは、一の綴じリング付近に配されている。このようなものであっても、連結板１１’’’、１２’’’を第一、第二のリング構成部材３１、５１、３２、５２を開く方向に付勢することができるとともに、他の綴じリング５側における開方向の付勢力を一の綴じリング３側の開方向の付勢力に比べて小さくすることができ、所期の目的を達成することができる。
【００４５】
本実施形態では、一の綴じリング及び他の綴じリングがそれぞれ１つである場合の綴じ具について説明したが、一の綴じリング及び他の綴じリングはそれぞれ複数あってもよい。
【００４６】
綴じリングの形状は本実施形態に限定されず、閉状態においてループをなすものであれば良い。例えば、丸型（Ｏ型）リングやオーバルリング等種々のものが考えられる。
【００４７】
各リング構成部材の係合部の形状や向きも適宜設定することができるものであり、本実施形態に示す態様に限定されるものではない。
【００４８】
ファイルの使用方向は明確に定められたものでなくても良く、また、綴じリングの取り付け方向も限定されるものではない。なお、本実施形態で示すように、使用方向が定められた表紙に、一の綴じリングが操作者の手前に位置するようにして綴じ具を取り付けたものであると、閉じ操作をするべき一の綴じリングに対して使用者を自然に誘導することができる。なお、閉じ操作をするべき一の綴じリングを使用者に認識させるため、綴じ具や表紙の所定部位に標識を設けることも考えられる。標識には、印刷による案内やシール貼り付け等による案内等、種々のものが考えられる。
【００４９】
その他、各部の具体的構成についても上記実施形態に限られるものではなく、本発明の趣旨を逸脱しない範囲で種々変形が可能である。
【符号の説明】
【００５０】
１…ベース
３…綴じリング（一の綴じリング）
５…綴じリング（他の綴じリング）
１１…連結板（第一の連結板）
１２…連結板（第二の連結板）
１３…カバー
３１…リング構成部材（第一のリング構成部材）
３２…リング構成部材（第二のリング構成部材）
５１…リング構成部材（第一のリング構成部材）
５２…リング構成部材（第二のリング構成部材）
１２２…下面
１３２…側縁部
Ｄ…弾性付勢手段
Ｆ…ファイル
Ｇ…綴じ具
Ｈ…表紙
ｍ…溝
ｓｐ…バネ
ｓｐ１…作用端
Ｔ…たわみ助長手段
【図１】
2011251428.tif 000003
【図２】
2011251428.tif 000004
【図３】
2011251428.tif 000005
【図４】
2011251428.tif 000006
【図５】
2011251428.tif 000007
【図６】
2011251428.tif 000008
【図７】
2011251428.tif 000009
【図８】
2011251428.tif 000010
【図９】
2011251428.tif 000011
【図１０】
2011251428.tif 000012
【図１１】
2011251428.tif 000013
【図１２】
2011251428.tif 000014
【図１３】
2011251428.tif 000015
【図１４】
2011251428.tif 000016
【図１５】
2011251428.tif 000017
【図１６】
2011251428.tif 000018
【図１７】
2011251428.tif 000019